(57)【特許請求の範囲】
【請求項１】
開口枠の開口を開閉する揺動可能な扉体の戸先側端部内に扉錠を埋設し、その扉錠が、扉体に埋設された錠ケースと、その錠ケース内に収容されて開口枠と扉体の戸先側端面間に形成される目地すきまに一端部が臨む回転可能なカム軸と、そのカム軸に設けられたカム突起の正逆回転時に、そのカム突起で押されて錠ケースに設けられたフロントプレートの両端方向に往復動される駆動部材と、その駆動部材に並列配置されて、駆動部材と同方向に移動可能な摺動部材と、前記駆動部材の往復動に連動して前記摺動部材を駆動部材と同方向に往復動させる連動機構と、前記摺動部材に一端部が連結され、他端部が扉体の端面から出没自在とされ、突出時に前記開口枠に設けられた受枠に、くさびによる係合により扉体を開口枠側に引き寄せつつ施錠するロッドとからなり、前記カム軸の一端部に、前記目地すきまに対して抜き差し可能な施解錠用操作レバーの先端の二股部が係合可能な角軸状の係合部を設け、前記連動機構が、前記錠ケースに一端部が支持され、その支持位置を中心にして揺動可能とされ、その揺動中心から他端側に片寄った位置が駆動部材に回転自在に連結され、他端部に前記揺動中心に向けて長く延びる長孔が形成された駆動レバーと、前記摺動部材に一端部が連結されてその連結位置を中心に揺動可能とされた従動レバーと、その従動レバーの揺動側端部に設けられて前記長孔と錠ケースに設けられたガイド孔の交差部に挿通されたガイドピンとからなり、前記ガイド孔が、前記摺動部材の施錠位置での停止状態で従動レバーの揺動中心を中心とする円弧状長孔の一端に摺動部材の摺動方向に長く延びる直線状長孔を設けた構成とされた扉体の施解錠装置。
【請求項２】
前記摺動部材の前記フロントプレートと対向する一側部に鋸歯状の切欠部を形成し、前記摺動部材の一側方には、前記切欠部に対する先端部の係合によって摺動部材を施錠位置でロックする揺動可能なロックレバーと、そのロックレバーを係合解除方向に向けて付勢する弾性部材とを設け、前記駆動レバーには、その駆動レバーが摺動部材を施錠位置に向けて移動させる方向に揺動した際にロックレバーの後端部を押圧してロックレバーを切欠部に係合させる方向に揺動させる押圧部を設けた請求項１に記載の扉体の施解錠装置。
【請求項３】
前記錠ケース内に、前記摺動部材と同方向に移動可能な第２の摺動部材を組込み、前記摺動部材の往復動に連動してその第２の摺動部材を摺動部材と逆方向に往復動させる第２の連動機構を設け、前記第２の摺動部材に第２のロッドの一端部を連結し、その第２のロッドの他端部を前記扉体の他方の端面から出没自在として、突出時に前記開口枠に設けられた第２の受枠に係合させるようにした請求項１又は２に記載の扉体の施解錠装置。
【請求項４】
前記第２の連動機構が、前記摺動部材と前記第２の摺動部材の対向端部間に組み込まれて、その一端部が摺動部材に連結され、他端部が第２の摺動部材に連結され、その連結部間の中央部を中心にして揺動可能な連動レバーからなる請求項３に記載の扉体の施解錠装置。
【請求項５】
前記ロッドを受枠に対して係合解除する扉体の開放状態で、前記ロッドを係合解除位置でロックし、扉体を閉鎖した際に、そのロックを解除するトリガ装置を設けた請求項１乃至４のいずれかの項に記載の扉体の施解錠装置。
【請求項６】
前記トリガ装置が、前記駆動部材のフロントプレートに対する対向面の背面側に形成された切欠部に対して移動自在に設けられた係合板片と、その係合板片と一体に移動して先端部がフロントプレートをスライド自在に貫通し、扉体の閉鎖方向への揺動時に前記開口枠の内周面と接触して係合板片が切欠部から係合解除する位置まで押し込められる出没子と、その出没子を外方に向けて付勢する弾性部材とからなる請求項５に記載の扉体の施解錠装置。
【発明の詳細な説明】
【技術分野】
【０００１】
この発明は、室内壁等に形成された開口部を開閉する扉体の施解錠装置に関する。
【背景技術】
【０００２】
複数の壁パネルを同一面上に配置する取付けによって平坦な室内壁を形成し、その室内壁の一部に設備点検口のような開口部を設け、その開口部を扉体によって開閉する場合、普通、その扉体に扉錠と開閉操作用のハンドルとを取付け、その扉錠の解錠後、ハンドル操作によって扉体を開放することが行われる。
【０００３】
上記のような扉体の開閉装置においては、開閉操作用のハンドルが壁面から突出するため、歩行の際の障害物となって怪我する危険があり、また、ハンドルが壁面に露出して目障りとなり、外観の良好な室内壁を得ることができない。
【０００４】
そのような不都合を解消するため、特許文献１では、壁面パネル間の目地部に鍵操作用の小孔を設け、その小孔の背部にピンシリンダ錠の鍵穴を臨ませ、上記小孔から鍵穴に鍵棒を差し込んでシリンダ錠を解錠し、その鍵棒の回転により扉体をロックするロックレバーをロック解除位置に回動させて、扉体のロックを解除する施解錠装置を提案している。
【０００５】
上記扉体の施解錠装置においては、鍵棒を挿入する小孔やシリンダ錠が壁面パネル間の目地部に設けられているため、突起物のない意匠的に優れた美的な室内壁を得ることができるという特徴を有している。
【先行技術文献】
【特許文献】
【０００６】
【特許文献１】特開２００７−１６５５０号公報
【発明の概要】
【発明が解決しようとする課題】
【０００７】
ところで、上記特許文献１に記載の扉体の施解錠装置においてはロックレバーが、扉体をロック(施錠)およびロック解除(解錠)する機能しか有しておらず、ロック位置に回動した際に、そのロックレバーで扉体を開口枠側に引き寄せることができないために、エアタイトの扉納まりに対応することができないという不都合がある。
【０００８】
この発明の課題は、突起物のない意匠的に優れた美的な室内壁を得ることができると共に、エアタイトの扉納まりにも対応することができるようにした扉体の施解錠装置を提供することである。
【課題を解決するための手段】
【０００９】
上記の課題を解決するために、この発明においては、開口枠の開口を開閉する揺動可能な扉体の戸先側端部内に扉錠を埋設し、その扉錠が、扉体に埋設された錠ケースと、その錠ケース内に収容されて開口枠と扉体の戸先側端面間に形成される目地すきまに一端部が臨む回転可能なカム軸と、そのカム軸に設けられたカム突起の正逆回転時に、そのカム突起で押されて錠ケースに設けられたフロントプレートの両端方向に往復動される駆動部材と、その駆動部材に並列配置されて、駆動部材と同方向に移動可能な摺動部材と、前記駆動部材の往復動に連動して前記摺動部材を駆動部材と同方向に往復動させる連動機構と、前記摺動部材に一端部が連結され、他端部が扉体の端面から出没自在とされ、突出時に前記開口枠に設けられた受枠に係合して扉体を開口枠側に引き寄せつつ施錠するロッドとからなり、前記カム軸の一端部に、前記目地すきまに対して抜き差し可能な施解錠用操作レバーの先端の二股部が係合可能な角軸状の係合部を設けた構成を採用したのである。
【００１０】
上記の構成からなる扉体の施解錠装置において、扉体の閉鎖状態で目地すきまに操作レバーの先端部を挿入し、その先端の二股部をカム軸の係合部に係合して操作レバーを揺動させることにより、カム軸を回転させることができる。
【００１１】
そこで、カム軸を回転させると、駆動部材がそのカム軸の回転方向に移動し、連動機構の作動により摺動部材が駆動部材の移動方向と同方向に移動する。また、摺動部材に一端部が連結されたロッドが摺動部材と共に軸方向に移動して、他端部が扉体の端面から出没し、突出時には受枠に係合して扉体を閉鎖位置でロックし、没入時には受枠に対する係合が解除して扉体のロックを解除する。
【００１２】
ここで、ロッドが外方に向けて移動して受枠に他端部が係合する際、扉体は開口枠側に引き寄せられる。このため、開口枠の扉体と対向する周面にシール部材を設けておくと、扉体はシール部材を圧縮変形させることになり、エアタイトの扉納まりに対応させることができる。
【００１３】
この発明に係る扉体の施解錠装置において、連動機構として、錠ケースに一端部が支持され、その支持位置を中心にして揺動可能とされ、その揺動中心から他端側に片寄った位置が駆動部材に回転自在に連結され、他端部に前記揺動中心に向けて長く延びる長孔が形成された駆動レバーと、摺動部材に一端部が連結されてその連結位置を中心に揺動可能とされた従動レバーと、その従動レバーの揺動側端部に設けられて駆動レバーに形成された上記長孔と錠ケースに設けられたガイド孔の交差部に挿通されたガイドピンとからなり、前記ガイド孔が、前記摺動部材の施錠位置での停止状態で従動レバーの揺動中心を中心とする円弧状長孔の一端に摺動部材の摺動方向に長く延びる直線状長孔を設けた構成のものを採用することができる。
【００１４】
ここで、摺動部材の錠ケースのフロントプレートと対向する一側部に鋸歯状の切欠部を形成し、摺動部材の一側方には、切欠部に対する先端部の係合によって摺動部材を施錠位置でロックする揺動可能なロックレバーと、そのロックレバーを係合解除方向に向けて付勢する弾性部材とを設け、上記連動機構における駆動レバーには、その駆動レバーが摺動部材を施錠位置に向けて移動させる方向に揺動した際にロックレバーの後端部を押圧してロックレバーを切欠部に係合させる方向に揺動させる押圧部を設けておくことにより、摺動部材を施錠位置まで移動させると、ロックレバーの先端部が切欠部に係合して、摺動部材を施錠位置でロックすることになる。
【００１５】
このため、扉体に付加される振動等で摺動部材が解錠位置に向けて移動するというようなことがなく、防犯性を高めることができる。
【００１６】
また、錠ケース内に、摺動部材と同方向に移動可能な第２の摺動部材を組込み、上記摺動部材の往復動に連動してその第２の摺動部材を摺動部材と逆方向に往復動させる第２の連動機構を設け、上記第２の摺動部材に第２のロッドの一端部を連結し、その第２のロッドの他端部を前記扉体の他方の端面から出没自在として、突出時に前記開口枠に設けられた第２の受枠に係合させる構成を採用することにより、扉体を閉鎖位置でロックするロック状態で、その扉体を２本のロッドによる２点締りとすることができ、良好なエアタイト状態を得ることができる。
【００１７】
ここで、第２の連動機構として、摺動部材と第２の摺動部材の対向端部間に組み込まれて、その一端部が摺動部材に連結され、他端部が第２の摺動部材に連結され、その連結部間の中央部を中心にして揺動可能な連動レバーからなるものを採用することができる。
【００１８】
この発明に係る扉体の施解錠装置において、ロッドを係合解除して扉体を開放する状態で、ロッドを係合解除位置でロックし、扉体を閉鎖した際に、そのロックを解除するトリガ装置を設けておくと、扉体の開放状態で、誤操作によりロッドが係合位置に向けて移動されるのを防止することができる。このため、開放位置の扉体を閉鎖位置に向けて揺動させる操作において、ロッドの他端部が床面を擦りながら移動したり、開口枠に衝撃的に当接するという不都合の発生を未然に防止することができる。
【発明の効果】
【００１９】
この発明に係る扉体の施解錠装置においては、上記のように、目地すきまに操作レバーを挿入し、その操作レバーの先端の二股部をカム軸の係合部に係合させて揺動させることにより、扉体を閉鎖位置でロックおよびロック解除することができるため、突起物のない意匠的に優れた美的な室内壁を得ることができる。
【００２０】
また、受枠に対するロッドの他端部の係合によって扉体を閉鎖状態でロックする際、扉体を開口枠側に引き寄せることができるため、開口枠の扉体と対向する周面にシール部材を設けておくことによって、シール部材を扉体で圧縮変形させることができ、エアタイトの扉納まりに対応させることができる。
【図面の簡単な説明】
【００２１】
【図１】この発明に係る扉体の施解錠装置の実施の形態を示す正面図
【図２】図１の一部を拡大して示す断面図
【図３】図２の一部切欠左側面図
【図４】扉錠の縦断面図
【図５】図４のV−V線に沿った断面図
【図６】図４のVI−VI線に沿った断面図
【図７】（ａ）は、図４に示す扉錠のカム軸部を拡大して示す断面図、（ｂ）は、（ａ）のｂ−ｂ線に沿った断面図、（ｃ）は、（ａ）のｃ−ｃ線に沿った断面図
【図８】扉錠の解錠状態を示す縦断面図
【図９】（ｄ）は、図８に示す扉錠のカム軸部を拡大して示す断面図、（ｅ）は、（ｄ）のｅ−ｅ線に沿った断面図、（ｆ）は、（ｄ）のｆ−ｆ線に沿った断面図
【発明を実施するための形態】
【００２２】
以下、この発明の実施の形態を図面に基づいて説明する。図１は、室内壁Ｗを形成する壁パネル１間に開口枠１１を設け、その開口枠１１の開口１２を開閉する扉体１３の施解錠装置を示し、上記開口枠１１の表面は壁パネル１の表面と同一面を形成している。
【００２３】
扉体１３は、その一側部の上下に設けられた垂直方向に延びるヒンジ軸１４を中心にして開閉自在とされ、その戸先側端部には扉錠２１が埋設されている。
【００２４】
図２および図３に示すように、扉錠２１は、扉体１３の戸先側端面内に埋設された錠ケース２２を有し、その錠ケース２２に設けられた積層板からなるフロントプレート２３が扉体１３の戸先側端面に衝合され、その戸先側端面にねじ込まれるビスの締め付けによって上下の端部が固定されている。
【００２５】
図４に示すように、錠ケース２２の内側下部には、受け部材２４が設けられている。受け部材２４は板体の折曲げにより形成されてフロントプレート２３と対向する支持板部２５、２６を上下に有し、その上側支持板部２５とフロントプレート２３間にカム軸２７が設けられている。
【００２６】
図４および図７（ａ）に示すように、カム軸２７は、フロントプレート２３および受け部材２４の上側支持板部２５によって両端部が回転自在に支持されている。カム軸２７の一方の端部はフロントプレート２３を貫通して閉鎖状態とされた扉体１３の戸先側端面と開口枠１１の縦枠１１ａの対向部間に形成される目地すきま１６に臨み、その一端部の外周対向位置に接線方向に延びる一対の溝２８が形成されて、その一対の溝２８間に係合部２９が設けられている。
【００２７】
ここで、図３に示す操作レバー３０は、上記目地すきま１６に対して抜き差し可能とされ、その先端部は二股部３１とされ、その二股部３１が図７（ａ）に示すカム軸２７の上記係合部２９に対して係合可能とされている。
【００２８】
カム軸２７は、回転角規制手段によって回転角が規制される。回転角規制手段として、ここでは、図７（ａ）乃至（ｃ）に示すように、フロントプレート２３に形成されたカム軸挿入孔３２の内周および受け部材２４の上側支持板部２５に形成されたカム軸挿入孔３３の内周それぞれに円弧状の切欠部３４を形成し、一方、カム軸２７にはそれぞれの切欠部３４に収容される突出部３５を設け、上記切欠部３４の周方向両端に対する突出部３５の当接によってカム軸２７の回転角を規制している。
【００２９】
図４および図６に示すように、錠ケース２２の内部には、カム軸２７の外周一側方に駆動部材３６が組み込まれている。駆動部材３６は板体の折曲げにより形成され、その上部に設けられたピン３７および下端に設けられたガイド片３８のそれぞれが錠ケース２２の側板２２ａに形成された上下方向に長い一対の長孔３９にスライド自在に嵌合されて昇降自在の支持とされ、上記カム軸２７の外周に形成されたカム突起４０の回転によって昇降動されるようになっている。
【００３０】
カム軸２７の回転により駆動部材３６を昇降動させるため、ここでは、図６に示すように、駆動部材３６のカム軸２７と対向する面に水平方向に延びる一対の突出部４１、４２を上下に設け、その一対の突出部４１、４２間にカム突起４０の先端部を配置し、そのカム突起４０が上側突出部４１を押圧する作用によって駆動部材３６を上昇させ、下側突出部４２を押圧する作用によって駆動部材３６を下降させるようにしている。
【００３１】
図４に示すように、駆動部材３６の上部に設けられた上記ピン３７とその一側方の設けられた固定ピン４３との間にはキックばね４４が設けられている。キックばね４４は固定ピン４３の中心を通る水平線をデッドポイントとし、ピン３７がそのデッドポイントを越えることによって駆動部材３６を上向き又は下向きに切り換えて付勢するようになっている。
【００３２】
錠ケース２２の内部には、その錠ケース２２のフロントプレート２３に対するバックプレート側の上下に一対の摺動部材４５、４６が組み込まれている。図４および図５に示すように、上側摺動部材４５は、ロッド連結板部４５ａの両側に一対の側板部４５ｂを下向きに設けた構成とされ、その側板部４５ｂには両側方に突出する突出部４７が設けられ、その突出部４７が錠ケース２２の側板２２ａに形成された上下方向に長い長孔４８内にスライド自在に嵌合されて、上側摺動部材４５が昇降自在の支持とされている。
【００３３】
第２の摺動部材としての下側摺動部材４６は、ロッド連結板部４６ａの両側に一対の側板部４６ｂを上向きに設けた構成とされ、その一対の側板部４６ｂを貫通して水平方向に延びるピン４９の両端部が錠ケース２２の側板２２ａに形成された上下方向に長い長孔５０内にスライド自在に嵌合されて、下側摺動部材４６が昇降自在の支持とされている。
【００３４】
図４に示すように、駆動部材３６とこれに並列配置された上側摺動部材４５の相互間には、駆動部材３６の昇降動により上側摺動部材４５を駆動部材３６と同方向に昇降動させる連動機構５１が設けられている。
【００３５】
連動機構５１は、錠ケース２２の側板２２ａによって両端部が支持された支点ピン５２で駆動レバー５３の一端部を揺動自在に支持し、その駆動レバー５３の揺動中心となる支点ピン５２から他端側に片寄った位置を駆動部材３６の上部にピン５４で回転自在に連結し、上側摺動部材４５の下部一側に設けられた連結ピン５５を中心にして揺動可能な従動レバー５６の揺動側端部にガイドピン５７を設け、そのガイドピン５７を駆動レバー５３の他端部に設けられた長孔５８と錠ケース２２の側板２２ａに形成されたガイド孔５９の交差部に挿通している。
【００３６】
ここで、ガイド孔５９は、上側摺動部材４５が錠ケース２２の頂壁に当接する上側位置での停止状態で従動レバー５６の揺動中心となる連結ピン５５を中心とする円弧状長孔５９ａの一端に上下方向に長く延びる直線状長孔５９ｂを設けた構成とされている。
【００３７】
上記の構成からなる連動機構５１において、駆動部材３６の下降動により支点ピン５２を中心に駆動レバー５３を下向きに揺動させると、従動レバー５６が連結ピン５５を中心に下向きに揺動する。両レバー５３、５６を連結するガイドピン５７が円弧状長孔５９ａと直線状長孔５９ｂの交差部に配置される状態から駆動レバー５３をさらに下向きに揺動させると、ガイドピン５７が直線状長孔５９ｂに沿って移動して、上側摺動部材４５が下降動する。図８は、上側摺動部材４５を下降動させた状態を示している。
【００３８】
上記とは反対に、駆動部材３６の上昇動により支点ピン５２を中心に駆動レバー５３を上向きに揺動させると、ガイドピン５７が直線状長孔５９ｂに沿って上昇動し、上側摺動部材４５が上昇する。ガイドピン５７が直線状長孔５９ｂと円弧状長孔５９ａの交差部に配置される状態から駆動レバー５３をさらに上向きに揺動させると、ガイドピン５７が円弧状長孔５９ａに沿って移動して、従動レバー５６が連結ピン５５を中心に上向きに揺動する。図４は、上側摺動部材４５を上昇動させた状態を示している。
【００３９】
図４に示すように、上側摺動部材４５と下側摺動部材４６の相互間には、上側摺動部材４５の昇降動に連動して下側摺動部材４６を上側摺動部材４５と逆方向に昇降動させる第２の連動機構６２が設けられている。
【００４０】
第２の連動機構６２は、上側摺動部材４５と下側摺動部材４６の対向端部間に連動レバー６３を設け、その連動レバー６３の長さ方向の中央部を錠ケース２２の側板２２ａで両端部が支持された支点ピン６４により回動自在に支持し、上記連動レバー６３の一端部に形成された長孔６５に上側摺動部材４５の下端部に設けられたピン６６を挿入して、連動レバー６３の一端部を上側摺動部材４５の下端部に連結し、連動レバー６３の他端部に設けられたピン６７を下側摺動部材４６の上部に設けられた左右方向に長い長孔６８に挿入して、連動レバー６３の他端部を下側摺動部材４６の上部に連結し、連動レバー６３の支点ピン６４を中心とする揺動によって上側摺動部材４５と下側摺動部材４６を相反する方向に昇降動させるようにしている。
【００４１】
ここで、支点ピン６４とピン６６間にはキックばね６９が設けられ、そのキックばね６９はデッドポイントの切換えによって連動レバー６３を時計方向または半時計方向に向けて切換えて付勢するようになっている。
【００４２】
上側摺動部材４５におけるロッド連結板部４５ａには上部ロッド７０の下端部が連結され、一方、下側摺動部材４６におけるロッド連結板部４６ａには下部ロッド７１の上端部が連結されている。
【００４３】
図２および図３に示すように、上部ロッド７０の上端部には係合片部７０ａが設けられ、その係合片部７０ａは扉体１３の上面から出没自在とされ、突出時には開口枠１１の上枠１１ｂに設けられた受枠７２の回転可能なローラ７３に係合して、扉体１３を閉鎖位置でロックするようになっている。
【００４４】
一方、下部ロッド７１の下端部にも係合片部７１ａが設けられ、その係合片部７１ａは扉体１３の下面から出没自在とされ、突出時には開口枠１１の下枠１１ｃに設けられた受枠７４の回転可能なローラ７５に係合して、扉体１３を閉鎖位置でロックするようになっている。
【００４５】
ここで、係合片部７０ａおよび係合片部７１ａのそれぞれは、ローラ７３、７５に対する係合時、くさび作用により扉体１３を開口枠１１に引き寄せるようになっている。
【００４６】
図３に示すように、開口枠１１には、扉体１３と対向する周面にシール溝７６が設けられ、そのシール溝７６内にシール部材７７が組み込まれている。シール部材７７は、扉体１３が開口枠１１に向けて引き寄せられた際に、その扉体１３で押されて弾性変形して扉体１３と開口枠１１の対向部間をシールするようになっている。
【００４７】
図８に示すように、上側摺動部材４５には、フロントプレート２３と対向する一側部に鋸歯状の切欠部７８が形成されている。上側摺動部材４５の一側方には支点ピン７９が設けられ、その支点ピン７９によりロックレバー８０の中央部が揺動自在に支持されている。
【００４８】
ロックレバー８０は、支点ピン７９に支持された弾性部材８１により半時計方向に付勢されて上部がストッパ８２に当接し、上側摺動部材４５の昇降動を阻害することのない垂直状態に保持されるようになっている。
【００４９】
駆動レバー５３には、上方への揺動時にロックレバー８０の下端部を押圧して、そのロックレバー８０を時計方向に揺動させて、ロックレバー８０の上端部を切欠部７８に係合させる押圧部８３が設けられている。
【００５０】
錠ケース２２の下部には、上部ロッド７０および下部ロッド７１を受枠７２、７４のローラ７３、７５に対して係合解除する扉体１３の開放状態で、それぞれのロッド７０、７１を係合解除位置でロックし、扉体１３を閉鎖した際に、そのロックを解除するトリガ装置８５が設けられている。
【００５１】
トリガ装置８５は、駆動部材３６のフロントプレート２３に対する対向面の背面側に形成された切欠部８６に対して移動自在に設けられた係合板片８７と、その係合板片８７と一体に移動して先端部がフロントプレート２３をスライド自在に貫通し、扉体１３の閉鎖方向への揺動時に開口枠１１の内周面と接触して係合板片８７が切欠部８６から係合解除する位置まで押し込められる出没子８８と、その出没子８８を外方に向けて付勢する弾性部材８９とからなり、上記切欠部８６に対する係合板片８７の係合により駆動部材３６を下降位置でロックするようにしている。
【００５２】
ここで、出没子８８の先端部にはローラ９０が回転自在に支持されている。
【００５３】
実施の形態で示す扉体の施解錠装置は上記の構造からなり、図１乃至図４は、扉体１３が開口枠１１の開口１２を閉鎖している状態を示し、トリガ装置８５の係合板片８７は駆動部材３６の切欠部８６から抜け出して係合解除状態にある。
【００５４】
また、上側摺動部材４５は、その一側部に形成された切欠部７８とロックレバー８０の先端部の係合によって上昇位置（施錠位置）で停止保持され、上部ロッド７０の係合片部７０ａおよび下部ロッド７１の係合片部７１ａは受枠７２、７４のローラ７３、７５と係合して、扉体１３を閉鎖位置でロックしている。このとき、図３に示すシール部材７７は扉体１３で押されて弾性変形し、開口枠１１と扉体１３の対向部間をシールしている。
【００５５】
扉体１３の開放に際しては、図３に示す操作レバー３０の先端の二股部３１を縦枠１１ａと扉体１３の戸先側端面間に形成された目地すきま１６に挿入し、その二股部３１をカム軸２７の係合部２９に係合して、その操作レバー３０を上方に揺動させるようにする。
【００５６】
いま、操作レバー３０の二股部３１がカム軸２７の係合部２９に係合する状態で、その操作レバー３０を上方に向けて揺動すると、カム軸２７が図６の矢印で示す方向に回転し、カム突起４０が駆動部材３６に設けられた下側突出部４２を下向きに押圧し、駆動部材３６が下降動する。
【００５７】
駆動部材３６の下降動により、連動機構５１の駆動レバー５３が支点ピン５２を中心に下向きに揺動し、それに連動して従動レバー５６が連結ピン５５を中心に下向きに揺動し、ガイドピン５７がガイド孔５９の円弧状長孔５９ａに沿って下向きに移動する。
【００５８】
ガイドピン５７が円弧状長孔５９ａの下端に臨むと、駆動レバー５３に設けられた押圧部８３がロックレバー８０の下端部から外れ、弾性部材８１の弾性によりロックレバー８０がストッパ８２に当接する方向に揺動して、切欠部７８に対する係合が解除する。
【００５９】
駆動レバー５３がさらに下向きに揺動すると、ガイドピン５７は直線状長孔５９ｂに沿って下降し、上側摺動部材４５は下向きに引かれて下降する。この時、連動レバー６３が支点ピン６４を中心に図４の反時計方向に揺動するため、上側摺動部材４５の下降動に連動して下側摺動部材４６が上昇する。
【００６０】
上側摺動部材４５の下降動により上部ロッド７０が共に下降動して、受枠７２のローラ７３に対する係合片部７０ａの係合が解除し、また、下側摺動部材４６の上昇動により下部ロッド７１が共に上昇動して、受枠７４のローラ７５に対する係合片部７１ａの係合が解除し、扉体１３はロック解除され、操作レバー３０を引くことにより、扉体１３が開放する。
【００６１】
ここで、駆動部材３６を下降動させたロック解除位置での停止状態ではトリガ装置８５を形成する切欠部８６が係合板片８７と左右方向で対向する状態となり、その状態で係合板片８７が弾性部材８９の押圧により切欠部８６に向けて移動して、図８に示すように、係合板片８７が切欠部８６に係合する。
【００６２】
このため、扉体１３を開放状態でカム軸２７が誤操作によって回動されるというようなことがなく、駆動部材３６は下降位置で保持されることになって、上部ロッド７０は受枠７２のローラ７３と係合解除する下降位置で保持され、また、下部ロッド７１は受枠７４のローラ７５と係合解除する上昇位置で保持される。
【００６３】
このため、下部ロッド７１の下端部が床面を擦りながら移動したり、開口枠１１に上部ロッド７０の錠端部や下部ロッド７１の下端部が衝撃的に当接するという不都合の発生を未然に防止することができる。
【００６４】
開放状態にある扉体１３を閉鎖位置に向けて揺動して開口枠１１の開口１２を閉鎖すると、その閉鎖直前にトリガ装置８５の出没子８８の先端が開口枠１１の縦枠１１ａの内面と接触し、その接触により出没子８８が押し込められ、係合板片８７が切欠部８６から抜け出して、切欠部８６に対する係合が解除する。
【００６５】
そこで、操作レバー３０の先端部を目地すきま１６に挿入し、先端の二股部３１をカム軸２７の係合部２９に係合して下向きに揺動すると、図９（ｆ）に示すカム軸２７のカム突起４０が上側突出部４１を上向きに押圧し、駆動部材３６が上昇動する。
【００６６】
駆動部材３６の上昇動により、連動機構５１が作動して上側摺動部材４５が上昇動し、また、第２の連動機構６２の作動により下側摺動部材４６が下降動し、上側摺動部材４５と共に上部ロッド７０が上昇して、図３に示すように、係合片部７０ａが受枠７２のローラ７３に係合する。また、下側摺動部材４６と共に下部ロッド７１が下降して、係合片部７１ａが受枠７４のローラ７５と係合し、扉体１３は、閉鎖位置でロックされる。
【００６７】
ここで、係合片部７０ａ、７１ａが受枠７２、７４のローラ７３、７５に係合するとき、扉体１３は開口枠１１に引き寄せられるため、シール部材７７が弾性変形し、そのシール部材７７によって扉体１３と開口枠１１の対向部間がシールされる。
【００６８】
実施の形態で示す扉体の施解錠装置においては、上記のように、目地すきま１６に操作レバー３０を挿入し、その操作レバー３０の先端の二股部３１をカム軸２７の係合部２９に係合させて揺動させることにより、扉体を閉鎖位置でロックおよびロック解除することができるため、突起物のない意匠的に優れた美的な室内壁を得ることができる。
【００６９】
実施の形態では、扉体１３が垂直方向に延びるヒンジ軸１４を中心にして開閉自在とされたものを示したが、水平方向に延びるヒンジ軸を中心にして開閉自在とされたものであってもよい。この場合、一対のロッドを左右方向にスライド自在として扉体の側面から出没自在とし、そのロッドの先端部が係合される受枠を縦枠に設けるようにする。
【００７０】
また、扉体１３は、出入り口を開閉する扉であってもよく、天井面や壁面に形成された点検口の開閉蓋であってもよい。
【符号の説明】
【００７１】
１１    開口枠
１２    開口
１３    扉体
２１    扉錠
２２    錠ケース
２３    フロントプレート
２７    カム軸
２９    係合部
３０    操作レバー
３１    二股部
３６    駆動部材
４５    上側摺動部材（摺動部材）
４６    下側摺動部材（第２の摺動部材）
５１    連動機構
５３    駆動レバー
５６    従動レバー
５７    ガイドピン
５８    長孔
５９    ガイド孔
５９ａ  円弧状長孔
５９ｂ  直線状長孔
６２    第２の連動機構
６３    連動レバー
７０    上部ロッド（ロッド）
７１    下部ロッド（第２のロッド）
７２    受枠
７４    受枠
７８    切欠部
８０    ロックレバー
８１    弾性部材
８５    トリガ装置
８６    切欠部
８７    係合板片
８８    出没子
８９    弾性部材
【図１】
0005912401.tif 000002
【図２】
0005912401.tif 000003
【図３】
0005912401.tif 000004
【図４】
0005912401.tif 000005
【図５】
0005912401.tif 000006
【図６】
0005912401.tif 000007
【図７】
0005912401.tif 000008
【図８】
0005912401.tif 000009
【図９】
0005912401.tif 000010